【手続補正書】
【提出日】平成17年7月4日(2005.7.4)
【手続補正１】
【補正対象書類名】特許請求の範囲
【補正対象項目名】全文
【補正方法】変更
【補正の内容】
【特許請求の範囲】
【請求項１】
掘削刃を備えた掘削機のための摩耗アセンブリであって、掘削機に固定するためのアダプタと、摩耗部材と、この摩耗部材を前記アダプタに保持させるロックとを具備し、前記アダプタと摩耗部材との一方は、突出部を有し、また、前記アダプタと摩耗部材との他方は、前記突出部を収容するためのソケットを有し、また、前記突出部は、自由端に向って夫々収束する収束性壁部と、互いに対向した側面とを有し、また、前記ソケットと突出部との一方は、前記収束性壁の一方とほぼ同じ方向に向って傾斜した少なくとも１つのレールを有し、そして、前記ソケットと突出部との他方は、前記レールを収容する少なくとも１つの溝を有する摩耗アセンブリ。
【請求項２】
前記レールは、前記突出部の各側壁部に設けられ、これらレールのうちの一方は、前記収束性壁の一方とほぼ同じ方向に向って傾斜し、他方のレールは、前記収束性壁の他方とほぼ同じ方向に向って傾斜し、また、前記ソケットは、各レールを収容するための前記溝を有する請求項１に記載の摩耗アセンブリ。
【請求項３】
前記アダプタは、前記突出部を有し、また、前記摩耗部材は、前記ソケットを有する請求項１に記載の摩耗アセンブリ。
【請求項４】
前記ソケットは、各々が、ソケットの長手方向軸に対して傾斜して延びている互いに対向する収束性面と、側面とによって規定され、また、これら側面の少なくとも一方は、前記レールと係合するための溝の一部として、前記収束性面の間に側方面を有し、そして、前記側方面は、前記収束性面のうちの一方と対向し、かつ前記長手方向軸に対して、収束性面が面する側方面と略同じ傾斜方向に延びている請求項１に記載の摩耗アセンブリ。
【請求項５】
前記側面の少なくとも１つは、前記突出部の相補的な側面と係合するように、同じ側面の前記側方面以外の、収束性面の一方に対向する側面支持面を有する請求項４に記載の摩耗アセンブリ。
【請求項６】
前記各側面支持面は、これがソケットの開口端に延びるのに従って広くなっている請求項５に記載の摩耗アセンブリ。
【請求項７】
各側方支持面は、これの全長に沿って対向している前記収束性面から均等に離間されている請求項４に記載の摩耗アセンブリ。
【請求項８】
各側方支持面は、対向する前記収束性壁部に対して横方向に鋭角になっている請求項７に記載の摩耗アセンブリ。
【請求項９】
前記ソケットは、各々が、ソケットの長手方向軸に対して傾斜して延びている互いに対向する収束性面と、側面とによって規定され、また、このソケットの先端部は、前記突出部の相補的な平坦部と係合するように前記側面間で延びている互いに対向した平坦部を有し、そして、これら平坦部の各々は、ソケットの長手方向軸にほぼ平行に延びている請求項１に記載の摩耗アセンブリ。
【請求項１０】
前記突出部の側壁は、これらが突出部の自由端部に向って延びているのに従って広がっている請求項１に記載の摩耗アセンブリ。
【請求項１１】
前記摩耗部材は、地面と係合するための細い前端部と、前記ソケットの長手方向軸と位置合わせされた平面の両側から広がり、前記細い前端部に沿って延びている１対の溝とを有する請求項１に記載の摩耗アセンブリ。
【請求項１２】
前記溝は、ソケットの先端部のところで前記平面に沿って互いに位置合わせされている請求項１１に記載の摩耗アセンブリ。
【請求項１３】
前記溝の各々は、長さ方向に沿って一定の幅と深さとを有している請求項１に記載の摩耗アセンブリ。
【請求項１４】
前記各溝とレールとの各々は、線形である請求項１に記載の摩耗アセンブリ。
【請求項１５】
前記溝とレールとは、設置するとき及び前記突出部から取り外すときに、前記摩耗部材をこれの長手方向軸周りに回転させるように設定されている請求項１４に記載の摩耗アセンブリ。
【請求項１６】
１つのみのレールが、前記突出部もしくはソケットの各側壁に形成されている請求項１に記載の摩耗アセンブリ。
【請求項１７】
前記ソケットは、これの長さの少なくとも一部にわたって、略Ｚ字状の断面形状を有する請求項１に記載の摩耗アセンブリ。
【請求項１８】
前記突出部は、ロックを収容する溝を有し、また、この溝とロックとは、各々これの長さに沿って徐々に狭くなっている請求項１に記載の摩耗アセンブリ。
【請求項１９】
前記溝は、閉塞端部を有し、かつ前記突出部を通って部分的にのみ延びている請求項１８に記載の摩耗アセンブリ。
【請求項２０】
前記摩耗部材は、前方掘削刃を有する先端部である請求項１に記載の摩耗アセンブリ。
【請求項２１】
切削刃を備えたリップ部と、このリップ部に固定され、切削刃から前端部へと延びている突出部とを具備する摩耗部材であって、この摩耗部材は、細い前端部を形成するように、収束した１対の収束性壁と、１対の側壁と、前記収束性壁の収束性面と前記側壁の側面とにより規定されたソケットとを具備し、前記収束性面は、前端部に向って収束しており、また、前記ソケットは、前記突出部に形成されたレールを収容するための少なくとも１つの溝を有し、この溝は、前記収束性面の一方と同じ方向に向って傾斜している摩耗部材。
【請求項２２】
前記側面の少なくとも一方は、前記レールと係合するための溝の１つの一部を形成するように、前記収束性面の間に側方面を有し、また、前記側方面の各々は、前記収束性面の他方と対向し、かつソケットの長手方向軸に対して、側方面が面する収束性面と同じ傾斜方向に延びている請求項２１に記載の摩耗部材。
【請求項２３】
前記側面の少なくとも１つは、前記レールと係合する前記溝の一部を構成するように前記収束性面の間に側方面を有し、各側方面は、前記収束性面のうちの一方と対向し、かつ前記ソケットの長手方向軸に対して、側方面が面する収束性面と同じ傾斜方向に延びている請求項２１に記載の摩耗部材。
【請求項２４】
前記側面の少なくとも１つは、同じ側の前記側方面以外の、収束性面の他方に対向する側面支持面を有する請求項２３に記載の摩耗部材。
【請求項２５】
前記各側面支持面は、これが後方に延びるのに従って広くなっている請求項２４に記載の摩耗部材。
【請求項２６】
各側方支持面は、これが対向している前記収束性面から均等に離間されている請求項２３に記載の摩耗部材。
【請求項２７】
各側方面は、対向する前記収束性面に対して横方向に鋭角になっている請求項２３に記載の摩耗部材。
【請求項２８】
摩耗部材は、細い前端部を有し、また、前記側方面は、前記ソケットの長手方向軸と位置合わせされた平面の両側から広がり、前記細い前端部に沿って延びている請求項２１に記載の摩耗部材。
【請求項２９】
前記収束性面の一方は、前記溝の第１の部分を形成し、また、収束性面の他方は、溝の第２の部分を形成している請求項２１に記載の摩耗部材。
【請求項３０】
前記ソケットの前端部は、前記側壁間で延び、互いに対向した平坦部を有し、これら平坦部の各々は、前記ソケットの長手方向軸と略平行に延びている請求項２１に記載の摩耗部材。
【請求項３１】
前記ソケットは、これの長さの少なくとも一部にわたって、略Ｚ字状の断面形状を有する請求項２１に記載の摩耗部材。
【請求項３２】
前記ソケットは、前記レールを収容するように、前記側壁の各々に１つのみの溝を有している請求項２１に記載の摩耗部材。
【請求項３３】
前記溝は、線形である請求項２１に記載の摩耗部材。
【請求項３４】
前記溝とレールとは、設置するとき及び前記突出部から取り外すときに、摩耗部材をこれの長手方向軸周りに回転させるように設定されている請求項２１に記載の摩耗部材。
【請求項３５】
前掘削刃を備えた先端部である請求項２１に記載の摩耗部材。
【請求項３６】
掘削機に固定され、掘削刃から前端部へと前方に延びた突出部を与えることであって、この突出部は、先端部に向かって収束する第１並びに第２の壁部と、これら第１の壁部と第２の壁部とを接続している１対の対向側面とを有し、側面は、夫々第１並びに第２のレールを備えており、第１のレールは、前記第１の壁部とほぼ同じ方向に向って傾斜されており、また、第２のレールは、前記第２の壁部とほぼ同じ方向に向って傾斜されており、これらレールの各々は、外側面を有している、ことと、
互いに対向した収束性面と、互いに対向した側面とを備えたソケットを有する磨耗部材を与えることと、
（ｉ）前記収束性面の各々が、突出部の第１並びに第２の壁部の各々と係合するように、また、（ｉｉ）前記側面の各々が、前記各レールの外側面と係合するように、そして、（ｉｉｉ）突出部と磨耗部材とが、一緒になって開口を規定するように、前記突出部がソケットの中へと挿入されて、突出部に対して磨耗部材を位置させることと、
を具備する、掘削機への磨耗部材の装着方法。
【請求項３７】
前記突出部のレールの各々は、前記第１並びに第２の壁部各々にほぼ平行な横方向面を有し、また、前記磨耗部材は、前記各側面が、各レールの前記横方向面とも係合するように、突出部材に位置される請求項３６に記載の装着方法。
【請求項３８】
前記開口は、開口端を有し、この開口端を通って、先が細くなったロックが挿入され、また、前記開口は、前記開口端から離れるのに従って狭くなっており、そして、前記ロックは、工具により前記開口の中へと挿入される請求項３６もしくは３７に記載の装着方法。